(57)【要約】【課題】  画像全体の色相の偏りを確認しながら、同時に注目する領域を精度高く確認する事ができる。【解決手段】  入力した画像信号の領域を指定し、生成した波形のうち指定された領域に含まれる信号の波形を拡大し、拡大した波形の表示色を異なるものに設定し、設定した表示色の波形を生成した波形に重ねて出力する。【選択図】  図４
2011205380.tif 000002
【特許請求の範囲】
【請求項１】
入力した画像信号の波形を生成し、表示装置に前記入力した画像信号および前記生成した波形を出力する画像処理装置であって、
前記入力した画像信号の領域を指定する領域指定手段と、
前記生成した波形のうち前記領域指定手段によって指定された領域に含まれる信号の波形を拡大し、前記拡大した波形の表示色を前記生成した波形の表示色とは異なるものに設定し、前記設定した表示色の波形を前記生成した波形に重ねて出力する画像処理手段と、を備えることを特徴とする画像処理装置。
【請求項２】
前記それぞれの波形は、画像信号の色相と彩度を示す波形であることを特徴とする請求項１記載の画像処理装置。
【請求項３】
前記画像処理手段は、指定領域に応じてあらかじめ関連付けておいた色を指定領域の波形の表示色とすることを特徴とする請求項１記載の画像処理装置。
【請求項４】
前記指定領域は、画像信号に対応する画像情報より決まるものとすることを特徴とする請求項１記載の画像処理装置。
【請求項５】
前記画像情報は、顔領域情報、空領域情報、フォーカス領域情報、ユーザによる画像信号における領域指定情報の何れかであるものとすることを特徴とする請求項に４記載の画像処理装置。
【請求項６】
前記画像処理手段は、前記画像情報が顔領域情報の場合は指定領域の波形色を肌色とし、空領域情報の場合は指定領域の波形色を青色とすることを特徴とする請求項３に記載の画像処理装置。
【請求項７】
前記画像処理手段は、指定領域の画像信号の平均色を指定領域の波形色とすることを特徴とする請求項３記載の画像処理装置。
【請求項８】
前記指定された領域と指定されていない領域の波形であるか否かを示す指定領域フラグを持つことを特徴とする請求項１記載の画像処理装置。
【発明の詳細な説明】
【技術分野】
【０００１】
本発明は、画像の色信号の分布を表示する技術に関する。
【背景技術】
【０００２】
従来、カメラやビデオカメラでの撮影時、操作者は画像全体および主要被写体が適正な色合いになっているかどうかを判定し必要があれば調整を行う。撮影現場では、カメラの出力信号を波形表示し色相および彩度をモニタ可能な機器であるベクトルスコープへ接続し確認する方法を取っている。
【０００３】
ベクトルスコープは画像の色信号の分布を、色相と彩度で表現したものである。これは円の色相環となっており、色相を角度、彩度を原点からの距離で示し、円の外側に向かうほど彩度が高いことを意味する。彩度が高い画像の例として、エメラルドグリーンの海や赤いハイビスカスの花や黄色のフルーツなどがある。彩度が高すぎると画像をテレビで表示した場合にビートが発生する場合がある。また、その画像を放送信号として用いた場合にはその色が再現されない場合がある。このため、撮影時にベクトルスコープを用いて彩度が高過ぎないかを確認する必要がある。一方、被写体が人物の場合、シーンの切り替わりなど、肌の色相が少しでも変わると印象が違ってしまうことから、シビアに画質を調整する必要があり、そのための表示・調整機能も考えられている（特許文献１）。この機能をベクトルスコープで実現するとき、人物の肌色は一般的に彩度が低い為、操作者はベクトルスコープの原点を中心に拡大する機能を使うことでベクトルスコープ内のマークや外円のメモリとの位置関係より肌色の色相を確認することになる。
【先行技術文献】
【特許文献】
【０００４】
【特許文献１】特願２００７−２５４８３４号公報
【発明の概要】
【発明が解決しようとする課題】
【０００５】
しかし、ベクトルスコープを用いた場合、例えばエメラルドグリーンの海を背景にビーチでの人物の撮影を行う場合など、彩度が高過ぎていないかという確認項目と、人物の肌色の色相合わせという確認項目を同時には確認する事が出来ない。
【０００６】
本発明は上述した問題点を解決するためのものであり、画像全体の色相の偏りを確認しながら、同時に注目する領域を精度高く確認する事ができるようにする。
【課題を解決するための手段】
【０００７】
上記目的を達成するために、本発明の画像処理装置は、入力した画像信号の波形を生成し、表示装置に前記入力した画像信号および前記生成した波形を出力する画像処理装置であって、前記入力した画像信号の領域を指定する領域指定手段と、前記生成した波形のうち前記領域指定手段によって指定された領域に含まれる信号の波形を拡大し、前記拡大した波形の表示色を前記生成した波形の表示色とは異なるものに設定し、前記設定した表示色の波形を前記生成した波形に重ねて出力する画像処理手段と、を備えることを特徴とする。
【発明の効果】
【０００８】
本発明によれば、画像全体の色相の偏りを確認しながら、同時に注目する領域を精度高く確認する事ができるという効果がある。
【図面の簡単な説明】
【０００９】
【図１】本発明の実施形態における撮像装置の基本構成図
【図２】本発明の実施形態におけるベクトルスコープ表示の概略図
【図３】第１の実施形態におけるカラーデーブル表
【図４】第１の実施形態における画像処理制御部の概略図
【図５】第１の実施形態におけるパターン２の波形表示のイメージ図
【図６】第１の実施形態におけるパターン１の波形表示のイメージ図
【図７】第２の実施形態における画像処理制御部の概略図
【図８】第２の実施形態における平均Ｃｂ、Ｃｒ値算出方法を示すフローチャート
【図９】本発明の実施形態における拡大処理の概略図
【発明を実施するための形態】
【００１０】
本発明における実施の形態について図面を参照して説明する。
【００１１】
（第１の実施形態）
図１において、本実施形態における画像処理装置は、画像入力部１０１と、画像処理制御部１０２と、画像表示部１０３と、フォーマット制御部１０４と、記録・読み出し部１０５と、着脱可能な記録メディア１０６と、領域指定部１０７、操作部１０８とを備える。
【００１２】
画像入力部１０１は、例えば複数のレンズやＣＣＤ（Ｃｈａｒｇｅ−Ｃｏｕｐｌｅｄ  Ｄｅｖｉｃｅ）で構成された撮像部である。また、画像入力部１０１は、ＣＣＤからのＲＧＢの画像信号に対してホワイトバランス処理等の所定の信号処理を行う機能を有し、さらに処理後の画像信号を、輝度信号Ｙ、色差信号Ｃｂ及びＣｒに変換して出力する。画像入力部１０１により入力された画像（映像）は、画像処理制御部１０２にて画像処理され、液晶パネルで構成される画像表示部１０３によって表示される。
【００１３】
画像処理された画像は、フォーマット制御部１０４により記録可能なフォーマットに変換され、記録・読み出し部１０５により、記録媒体である記録メディア１０６に記録される。記録メディア１０６に記録された画像は、記録・読み出し部１０５により読み出され、フォーマット制御部１０４により表示及び出力可能なフォーマットに変換される。その後、画像は画像処理制御部１０２にて画像処理され、画像表示部１０３にて表示される。
【００１４】
領域指定部１０７では、画像入力部１０１から入力された画像に対応する画像情報および操作部１０８による領域指定操作によって、入力画像に対する指定領域を作成する。
【００１５】
本実施形態における波形表示を図２−ａに示す。一般にベクトルスコープ表示と呼ばれ、入力画像の色信号の分布について、色相を波形の角度、彩度を原点からの距離、重複データにおける頻度を波形の輝度で表す。円の内側に存在する田の字の印は、図２−ｂに示すカラーバー１００％の色信号の分布位置が、田の字の各交差点に位置する事を示す。アルファベットは、Ｙｌ＝Ｙｅｌｌｏｗ、Ｃｙ＝Ｃｙａｎ、Ｇ＝Ｇｒｅｅｎ、Ｍｇ＝Ｍａｇｅｎｔａ、Ｒ＝Ｒｅｄ、Ｂ＝Ｂｌｕｅのカラーバーの各色を示す。
【００１６】
本実施形態では、領域指定部１０７が、操作部１０８からの指示により、画像入力部１０１から入力された画像に対応する顔領域情報と空情報とを選択し、画像の指定領域を設定する。
【００１７】
図３は波形データの表示色のカラーテーブルにおける色差ＣｂとＣｒの組み合わせ値を示し、ＣｂおよびＣｒの値は符号付の８ビットデータであるとする。指定領域外は図３で示すカラーテーブルＡ（緑）を参照する。指定領域内が空を示す場合はカラーテーブルＢ（青）、指定領域内が顔領域を示す場合はカラーテーブルＣ（肌色）を参照する。
【００１８】
画像処理制御部１０２について詳しく説明する。図４に画像処理制御部１０２の構成を示す。画像処理制御部１０２は、波形生成部４０１、メモリ制御部４０２、波形色制御部４０３、重畳処理部４０４、カラーテーブルＡ  ４０５、カラーテーブルＢ  ４０６、カラーテーブルＣ  ４０７とを備える。メモリ制御部４０２は、作成した波形データを一旦保存しておく２つの内蔵メモリ、メモリバンク０（４０８）とメモリバンク１（４０９）とを備え、波形作成用と波形読み出し用とで切り替えて使用する。１つの波形データは画像表示時における１フレーム分で作成され、フレーム毎に波形作成用と波形読み出し用のメモリバンク０（４０８）とメモリバンク１（４０９）を交互に切り替える。波形生成部４０１は、指定領域内の波形データを２倍へ拡大処理を行う拡大処理部４１０を備える。
【００１９】
画像入力部１０１またはフォーマット制御部１０４から入力される画像の色差信号Ｃｂ及びＣｒから、波形生成部４０１にてベクトルスコープ波形のデータを生成し、メモリ制御部４０２によってメモリバンク０（４０８）に保存する。具体的には、波形生成部４０１において、入力画像の色差ＣｂおよびＣｒ信号より変換された８ビットのｂ−ｙとｒ−ｙとを直交座標として考え、メモリアクセスのためのアドレスを生成する。ｂ−ｙとｒ−ｙへの変換方法については後段で述べる。本実施形態では、入力画像の色差Ｃｂから変換されたｂ−ｙを水平軸、Ｃｒから変換されたｒ−ｙを垂直軸にとって、２次元配列として考えたメモリに対するアクセス制御を行う。ここでのアクセスは、初めに該当アドレスのデータを読み出し、波形生成部４０１において、その読み出したデータに任意のゲインを乗じて読み出したデータに足し込み、再びメモリ制御部４０２を通じて、同一アドレスに書き戻す処理を行っている。これにより、頻度が高い所のデータ値が大きくなるように制御でき、画像表示時における１フレームの処理が終了した後、画像表示部１０３に対して表示するために読み出し輝度として表示した際に、頻度が高い輝度信号レベルは明るく、頻度が低い部分は暗く見える。
【００２０】
このとき、領域指定部１０７からの指定領域情報を用いて、指定領域内の波形データであれば、拡大処理部４１０にて拡大処理を行う。具体的に説明する。画像入力部１０１から入力された現色差信号ＣｂとＣｒが、指定領域内のデータである場合、ベクトルスコープ波形の座標に変換されたｂ−ｙとｒ−ｙの値を、図９の原点を中心に２倍へ拡大処理を行う。例えば、図９に示す、（ｂ−ｙ、ｒ−ｙ）＝（１０、２０）の座標Ａであれば、２倍へ拡大処理した座標（ｂ−ｙ'、ｒ−ｙ’）＝（２０、４０）の座標Ｂとなる。また、（ｂ−ｙ、ｒ−ｙ）＝（−１０、−２０）の座標Ｃであれば、２倍へ拡大処理した座標（ｂ−ｙ’、ｒ−ｙ’）＝（−２０、−４０）の座標Ｄとなる。このとき、拡大処理することによって、ベクトルスコープ波形用のメモリ領域を超えてしまった座標は、波形生成処理を行わない。また、領域指定部１０７からの指定領域であるか否かの情報から、波形データに対応する指定領域フラグを波形データに対応付けて内蔵メモリ４０２のメモリバンク０（４０８）に保存する。
【００２１】
指定領域内の波形データである場合、拡大処理を行い、メモリにアクセスするためのアドレスを生成後、該当アドレスのデータを読み出すが、読み出したデータの指定領域フラグが無効であった場合、読み出したデータの変わりにゼロデータを用いる。また、指定領域フラグが有効であった場合、上記で説明した通り、その読み出したデータに任意のゲインを乗じて読み出したデータに足し込み、再びメモリ制御部４０２を通じて、同一アドレスに書き戻す。このとき、指定領域フラグは有効のままとして波形データに対応付けて内蔵メモリ４０２のメモリバンク０（４０８）に保存する。
【００２２】
指定領域外の波形データである場合、メモリにアクセスするためのアドレスを生成後、該当アドレスのデータを読み出すが、読み出したデータの指定領域フラグが有効であった場合、読み出したデータをそのまま同一アドレスに書き戻す。また、指定領域フラグが無効であった場合、上記で説明した通り、その読み出したデータに任意のゲインを乗じて読み出したデータに足し込み、再びメモリ制御部４０２を通じて、同一アドレスに書き戻す。以上の処理によって、拡大処理した指定領域内の波形データを指定領域外の波形データに上書きした波形データを作成する。
【００２３】
１フレーム分の画像信号に対応する波形データを生成し終えると、次のフレームのタイミングから、作成した波形データはメモリ制御部４０２によってメモリバンク１（４０９）へ保存していく。現在波形生成部４０１がアクセスしていない方のメモリバンクから、保存してある波形データを読み出す。そして、読み出した値を輝度信号とし、対応する色差信号は波形色制御部４０３にて波形表示時にあらかじめ設定してある色差の組み合わせであるカラーテーブルＡ  ４０５を参照し緑色の波形データにする。このとき、波形データと対応させておいた指定領域フラグも同時に内蔵メモリから読み出し、指定領域のデータであれば参照するカラーテーブルを変える。指定領域が顔領域である場合、波形色制御部４０３はカラーテーブルＣを参照し肌色の波形データにする。空領域である場合、波形色制御部４０３はカラーテーブルＢを参照し青色の波形データにする。その後、重畳処理部４０４にて、画像表示部へ表示する画像データと波形データとの重畳処理を行い、画像表示部１０３へ表示する。
【００２４】
本実施形態ではスタンダードの色空間（ＢＴ．６０１）とし、以下に変換方法を説明する。
【００２５】
ＩＴＵ−Ｒ  ＢＴ．６０１に記載されている色変換式より、Ｃｂ（ａｎａｌｏｇ）及びＣｒ（ａｎａｌｏｇ）は、
【００２６】
【数１】
2011205380.tif 000003
【００２７】
と表される。また、Ｃｂ（ｄｉｇｉｔａｌ）及びＣｒ（ｄｉｇｉｔａｌ）は、
【００２８】
【数２】
2011205380.tif 000004
【００２９】
式１を式２へ代入し、変形すると、Ｂ−Ｙ及びＲ−Ｙは、
【００３０】
【数３】
2011205380.tif 000005
【００３１】
と表される。さらに、ＳＭＰＴＥ  １７０Ｍより式３に減算係数をかけ、８ビットデータに換算したものをｂ−ｙ、ｒ−ｙとすると、
【００３２】
【数４】
2011205380.tif 000006
【００３３】
となる。式４の値を用いて、ベクトルスコープ波形表示のｂ−ｙ、ｒ−ｙ座標を求める。
【００３４】
本実施形態における画像表示部１０３に表示される撮影画像及びベクトルスコープのイメージを図５、図６に示す。
【００３５】
本実施形態では、画像入力部１０１から入力された画像に対応する顔領域情報または空領域情報が指定領域であるものとし、操作部１０８においてどちらの情報を用いるかを設定する。これら２パターンについてそれぞれ説明する。
【００３６】
１．  指定領域を顔領域とした場合
図５を用いて説明する。５−ａは画像入力部１０１から入力された画像データであり、５０１は顔領域情報による指定領域である。入力画像データのベクトルスコープの波形データを５−ｂに示す。５−ｃが指定領域内に存在する波形データ、５−ｄが指定領域外に存在する波形データである。指定領域内の波形データのみ２倍に拡大処理をした波形データを５−ｅに示す。この時、指定領域外の波形データはカラーテーブルＡを参照し緑色の波形データとなり、指定領域内の波形データはカラーテーブルＣを参照し肌色の波形データとなる。ベクトルスコープの波形データを入力画像データの右下に配置し重畳処理することにより画像表示部１０３に表示した例の図を５−ｆに示す。
【００３７】
２．  指定領域を空領域とした場合
図６を用いて説明する。６−ａは画像入力部１０１から入力された画像データである。６−ｂで示す斜線部６０２が空領域情報の示す領域であり、これが指定領域である。６０１は顔領域であるが本パターンでは使用しない。入力画像データのベクトルスコープの波形データを６−ｃに示す。６−ｄが指定領域内に存在する波形データ、６−ｅが指定領域外に存在する波形データである。指定領域内の波形データのみ２倍に拡大処理をした波形データを６−ｆに示す。この時、指定領域外の波形データはカラーテーブルＡを参照し緑色の波形データとなり、指定領域内の波形データはカラーテーブルＢを参照し青色の波形データとなる。ベクトルスコープの波形データを入力画雄図データの右下に配置し重畳処理することにより画像表示部１０３に表示した例の図を６−ｇに示す。ベクトルスコープの背景色は本説明時に見やすくする為、図５−ｆの背景色と変えている。
【００３８】
以上説明したように、本実施形態では、入力画像の色相をベクトルスコープで波形表示し、注目したい画像領域の波形を拡大し、注目領域外の波形と色を変えて表示するようにした。この様な表示をすることで、操作者は、画像全体の色相の偏りを確認しながら、同時に注目する領域を精度高く確認する事ができる。
【００３９】
本実施形態では画像の指定領域として顔領域と空領域を用いたが、フォーカス領域情報や操作部１０８による画像データの領域指定情報を用いてもよい。また、指定領域内の波形データを２倍に拡大したが、倍率はユーザが任意に設定可能である。
【００４０】
本実施形態では、指定領域が１つの場合について説明したが、複数の指定領域が存在する場合は、指定領域内の同じカラーテーブルを参照しても、複数のカラーテーブルを用意しておき領域毎に異なるカラーテーブルを参照するようにしてもよい。
【００４１】
（第２の実施形態）
本実施形態における波形表示は、第１の実施形態と同様に図２−ａに示すものであるため、ここでの説明は省略する。また、本実施形態における装置の構成も第１の実施形態と同じであるためここでの説明は省略する。本実施形態においては、図３の組み合わせ値をのうち、指定領域外はカラーテーブルＡ（緑）を参照する。
【００４２】
本実施形態における画像処理制御部１０２について詳しく説明する。図７に画像処理制御部１０２の構成を示す。画像処理制御部１０２は、波形生成部７０１、メモリ制御部７０２、波形色制御部７０３、重畳処理部７０４、カラーテーブル７０５とを備える。メモリ制御部７０２は、作成した波形データを一旦保存しておく２つの内蔵メモリ、メモリバンク０（７０６）とメモリバンク１（７０７）とを備え、波形作成用と波形読み出し用とで切り替えて使用する。１つの波形データは画像表示時における１フレーム分で作成され、フレーム毎に波形作成用と波形読み出し用のメモリバンク０（７０６）とメモリバンク１（７０７）を交互に切り替える。波形生成部４０１は、指定領域内の波形データを２倍へ拡大処理を行う拡大処理部７０８と、指定領域の平均色を算出する平均色生成部７０９とを備える。
【００４３】
画像入力部１０１またはフォーマット制御部１０４から入力される画像の色差信号Ｃｂ及びＣｒから、波形生成部７０１にてベクトルスコープ波形のデータを生成し、メモリ制御部７０２によってメモリバンク０（７０６）に保存する。具体的には、波形生成部７０１において、入力画像の色差ＣｂおよびＣｒ信号より変換された８ビットのｂ−ｙとｒ−ｙとを直交座標として考え、メモリアクセスのためのアドレスを生成する。ｂ−ｙとｒ−ｙへの変換方法については第１の実施形態と同じである為、ここでの説明は省略する。本実施形態では、入力画像の色差Ｃｂから変換されたｂ−ｙを水平軸、Ｃｒから変換されたｒ−ｙを垂直軸にとって、２次元配列として考えたメモリに対するアクセス制御を行う。ここでのアクセスは、初めに該当アドレスのデータを読み出し、波形生成部７０１において、その読み出したデータに任意のゲインを乗じて読み出したデータに足し込み、再びメモリ制御部７０２を通じて、同一アドレスに書き戻す処理を行っている。これにより、頻度が高い所のデータ値が大きくなるように制御でき、画像表示時における１フレームの処理が終了した後、画像表示部１０３に対して表示するために読み出し輝度として表示した際に、頻度が高い輝度信号レベルは明るく、頻度が低い部分は暗く見える。
【００４４】
このとき、領域指定部１０７からの指定領域情報を用いて拡大処理部７０８にて拡大処理を行う。処理の方法は第１の実施形態と同じとし、ここでの説明は省略する。このとき、拡大処理することによって、ベクトルスコープ波形用のメモリ領域を超えてしまった座標は、波形生成処理を行わない。また、領域指定部１０７からの指定領域であるか否かの情報から、波形データに対応する指定領域フラグを波形データに対応付けてメモリ制御部７０２のメモリバンク０（７０６）に保存する。
【００４５】
指定領域内の波形データである場合、拡大処理を行い、メモリにアクセスするためのアドレスを生成後、該当アドレスのデータを読み出すが、読み出したデータの指定領域フラグが無効であった場合、読み出したデータの変わりにゼロデータを用いる。また、指定領域フラグが有効であった場合、上記で説明した通り、その読み出したデータに任意のゲインを乗じて読み出したデータに足し込み、再びメモリ制御部７０２を通じて、同一アドレスに書き戻す。このとき、指定領域フラグは有効のままとして波形データに対応付けてメモリ制御部７０２のメモリバンク０（７０６）に保存する。また、平均色生成部７０９にて、入力画像の指定領域内の平均色を算出し、指定領域内カラーテーブルとして色差ＣｂとＣｒの組み合わせ値をフレームに対応付けてメモリ制御部７０２のメモリバンク０（７０６）に保存する。平均色生成部７０９における平均色の算出方法は後段で述べる。
【００４６】
指定領域外の波形データである場合、メモリにアクセスするためのアドレスを生成後、該当アドレスのデータを読み出すが、読み出したデータの指定領域フラグが有効であった場合、読み出したデータをそのまま同一アドレスに書き戻す。また、指定領域フラグが無効であった場合、上記で説明した通り、その読み出したデータに任意のゲインを乗じて読み出したデータに足し込み、再びメモリ制御部７０２を通じて、同一アドレスに書き戻す。以上の処理よって、拡大処理した指定領域内の波形データを指定領域外の波形データに上書きした波形データを作成する。
【００４７】
１フレーム分の画像信号に対応する波形データを生成し終えると、次のフレームのタイミングから、作成した波形データはメモリ制御部７０２によってメモリバンク１（７０７）へ保存していく。現在波形生成部７０１がアクセスしていない方のメモリバンクから、保存してある波形データを読み出す。そして、読み出した値を輝度信号とし、対応する色差信号は波形色制御部７０３にて波形表示時にあらかじめ設定してある色差の組み合わせであるカラーテーブル（７０５）を参照し緑色の波形データにする。このとき、波形データと対応させておいた指定領域フラグと、指定領域内のカラーテーブルも同時に内蔵メモリから読み出す。指定領域のデータであれば指定領域内のカラーテーブルを参照し、指定領域内の平均色の波形データとする。その後、重畳処理部７０４にて、画像表示部へ表示する画像データと波形データとの重畳処理を行い、画像表示部１０３へ表示する。
【００４８】
本実施形態における、入力画像データの１フレームにおける指定領域内カラーテーブルＣｂ、Ｃｒの算出方法を図８のフローチャートを用いて説明する。入力画像データのＣｂ、Ｃｒは８ビットデータとし、計算内では符号なしのデータとして扱う。また、入力画像データとしては、１フレームの画像をラスタ走査された１画素単位のものが順次入力される。
【００４９】
まず、入力画像における指定領域のデータ数をカウントするＣｏｕｎｔパラメータを０にクリアする（Ｓ８０１）。入力画像データとして１画素のＣｂ（ｉｎ）、Ｃｒ（ｉｎ）が入力されてきた場合（Ｓ８０２でＹｅｓ）、ステップＳ８０３に進む。１フレームが終了していなく（Ｓ８０３でＮｏ）、現在の入力データＣｂ（ｉｎ）、Ｃｒ（ｉｎ）が指定領域内のデータである場合（Ｓ８０４でＹｅｓ）、ステップＳ８０５に進む。ステップＳ８０５では、これらの値を用いて計算処理を行い現時点までの平均値を算出する。このときのＣｂ（ｃｔ）、Ｃｒ（ｃｔ）は指定領域の波形データのカラーテーブル値を示す。指定領域のデータカウントを１つカウントアップする（Ｓ８０６）。指定領域内でない場合（Ｓ８０４でＮｏ）、何も処理をしない。１フレームが終了するまで、Ｓ８０２〜Ｓ８０６を繰り返す。１フレームが終了した場合（Ｓ８０３でＹｅｓ）、Ｃｂ（ｃｔ）、Ｃｒ（ｃｔ）の値をそのフレームに対応付けてメモリ制御部７０２の波形データと同じメモリバンクに保存する。以上により、指定領域の平均Ｃｂ、Ｃｒの値を算出し、指定領域の波形データのカラーテーブルとして用いる。
【００５０】
本実施形態での表示態様は、第１の実施形態と同じとする為、ここでの説明は省略する。
【００５１】
以上で説明したように、入力画像の色差信号を用いて色信号の分布を波形表示し、指定された指定領域の波形のみを拡大し、かつ指定領域の平均色を算出することで、指定領域と指定領域外とで色を変えて表示するようにした。これにより画像全体の色相の偏りを確認しながら、同時に注目する領域を精度高く、かつ関連した色でわかり易く確認する事ができる。
【００５２】
（他の実施形態）
上記各実施形態で用いた拡大処理方法、及び指定領域データの平均Ｃｂ、Ｃｒ値の算出方法は一例であり、本発明は、これに限定はしない。
【００５３】
上記各実施形態では画像の指定領域として操作部１０８による画像データの領域指定情報を用いたが、顔領域やフォーカス領域情報を用いてもよい。
【００５４】
また、上記各実施形態では、画像入力部１０１は撮像部であるとしたが、画像入力機能を有していればよく、所定の着脱可能な記録媒体からの撮影画像の読み出し部やネットワーク等の通信手段からの撮像画像の受信部等であってもよい。
【００５５】
また、上記実施形態では、本発明を撮像装置に適用した場合について説明したが、本発明はこれに限るものではなく、外部接続した撮像装置から撮影画像を入力可能なパーソナルコンピュータやデジタルテレビ等の画像処理装置において、実現されても良い。なお、パーソナルコンピュータの場合は、上記図３に示した各ステップを実行するアプリケーションソフトウェアをＣＤ−ＲＯＭ等の記憶媒体やネットワーク上のサーバから取得してインストールすることにより実現される。
【符号の説明】
【００５６】
１０１  画像入力部
１０２  画像処理制御部
１０３  画像表示部
１０４  フォーマット制御部
１０５  記録・読み出し部
１０６  記録メディア
１０７  領域指定部
１０８  操作部
【図１】
2011205380.tif 000007
【図２】
2011205380.tif 000008
【図３】
2011205380.tif 000009
【図４】
2011205380.tif 000010
【図５】
2011205380.tif 000011
【図６】
2011205380.tif 000012
【図７】
2011205380.tif 000013
【図８】
2011205380.tif 000014
【図９】
2011205380.tif 000015